(57)【要約】 【課題】シールド面を作業現場の損傷から回避するために簡易にシールド面支持部に着脱すること 【解決手段】シェル２前方内面に該シェル２と間隔をもってハンモック、ヘッドバンドと共に顔面保護用のシールド面６を支えるフレーム４を該シェル２の下縁部に固設し、該フレーム４は前方中央に頂部を有する山型形成部４ａを有すると共に、上記シールド面６を支持するための断面視Ｔ字形状をした上向きの支持レール５を上記山型形成部４ａ上に合成樹脂にて一体成形して設け、該支持レール５の下部は上記フレームの下縁下方に延びる逆Ｕ字形状に分岐したガイド部５ａが形成されてなり、上記シールド面６は透明な素材で形成され、更に、上記支持レール５に着脱自在に係合して跨座しながら上下に摺動するスライダ７を上記シールド面６の中央上部に設けた構成を採用した。【選択図】図１
2008261075.tif 000002
【特許請求の範囲】
【請求項１】
ヘルメットのシェル前方下縁近傍に形成されたバイザーを上方視界を確保する素材で構成し、且つ、シェル前方内面に該シェルと間隔をもってハンモック、ヘッドバンドと共に顔面保護用のシールド面を支えるフレームを該シェルの下縁部に固設し、該フレームは前方中央に頂部を有する山型形成部を有すると共に、上記シールド面を支持するための断面視Ｔ字形状をした上向きの支持レールを上記山型形成部上に合成樹脂にて一体成形して設け、該支持レールの下部は上記フレームの下縁下方に延びる逆Ｕ字形状に分岐したガイド部が形成されてなり、上記シールド面は透明な素材で形成され、更に、上記支持レールに着脱自在に係合して跨座しながら上下に摺動するスライダを上記シールド面の中央上部に設けて成ることを特徴とする着脱自在なシールド面を有するヘルメット。
【請求項２】
上記支持レール下部の逆Ｕ字形状に分岐したガイド部は、該ガイド部の略中央部の左右両外側から外方に向く僅少な水平段部が形成され、且つ該水平段部外端から該各逆Ｕ字形状に分岐したガイド部の先端に向けてテーパが形成されて、上記スライダの装着時の誘導部及び誘導後のストッパとしたことを特徴とする請求項１記載の着脱自在なシールド面を有するヘルメット。
【請求項３】
上記支持レールは、上記スライダ誘導後の上記ストッパの位置から上方に略上記スライダの高さに相当する高さ位置の支持レールの両外側に、上下にスロープを具えた小凸部を形成して、スライダの不慮上昇を防止する構成と成したことを特徴とする請求項２記載の着脱自在なシールド面を有するヘルメット。
【請求項４】
上記スライダは、上記断面視Ｔ字形状の支持レールを略巾着網状に抱く形状に形成し、上記シールド面は、上部に横方向に所要の間隔をおいて複数の通気孔を穿設したことを特徴とする請求項１，２または３記載の着脱自在なシールド面を有するヘルメット。
【発明の詳細な説明】
【技術分野】
【０００１】
本発明は、着脱自在なシールド面を有するヘルメットに関するものであり、特に、バイザーを上方視界を確保する素材で構成し、且つ、シェル前方内面に該シェルと間隔をもってフレームを該シェルの下縁に固設するとともに、該フレーム中央上部に保護用シールド面を支持するための断面視Ｔ字型の支持レールを設けると共に、該支持レールの下部は逆Ｕ字形状に分岐したガイド部が形成され、前記保護用シールド面は透明素材で形成され、前記支持レールに着脱自在に跨座して摺動するスライダを上記シールド面の中央上部に設けた着脱自在なシールド面を有するヘルメットに関する。
【背景技術】
【０００２】
従来、この種のヘルメットのシールド面は、上下自在に形成されてはいたが、着脱自在に構成されてはいなかった。つまり、シールド面の不使用時には、上方に収納することができるものの、簡単に取り外す機構は備えていなかった（特許文献１参照）。    
【特許文献１】特開２００３−４９３１６号公報
【発明の開示】
【発明が解決しようとする課題】
【０００３】
換言すると、従来例に於いては、シールド面をヘルメットのシェル前部のシールド面収納位置に収納したままヘルメットを使用している間にシールド面が汚染や擦傷を受け、該シールド面の透明度が損なわれ、強度が劣化するという危惧が随伴しており、シールド面を安全に保持し、且つ、管理することができなかった。つまり、従来の、ヘルメットのシールド面においては、必要時にヘルメットを装着し、不要時に取外すということが簡単にできず、常時シールド面を、ヘルメットのシールド面収納位置に収容して使用していた。
【０００４】
そこで、シールド面を、作業の性質に応じ顔面の保護上必要とする作業工程時に装着し、必要としない時においては取外すようにするために技術上の課題が生じてきており、本発明は、かかる課題を解決することを目的とするものである。
【課題を解決するための手段】
【０００５】
本発明は上記目的を達成するために提案されたものであり、請求項１記載の発明は、ヘルメットのシェル前方下縁近傍に形成されたバイザーを上方視界を確保する素材で構成し、且つ、シェル前方内面に該シェルと間隔をもってハンモック、ヘッドバンドと共に顔面保護用のシールド面を支えるフレームを該シェルの下縁部に固設し、該フレームは前方中央に頂部を有する山型形成部を有すると共に、上記シールド面を支持するための断面視Ｔ字形状をした上向きの支持レールを上記山型形成部上に合成樹脂にて一体成形して設け、該支持レールの下部は上記フレームの下縁下方に延びる逆Ｕ字形状に分岐したガイド部が形成されてなり、上記シールド面は透明な素材で形成され、更に、上記支持レールに着脱自在に係合して跨座しながら上下に摺動するスライダを上記シールド面の中央上部に設けて成る着脱自在なシールド面を有するヘルメットを提供するものである。
【０００６】
このような構成を採用することにより、ヘルメットの上方視界を確保し、且つ、シールド面を簡単に交換することが可能となった。
【０００７】
請求項２記載の発明は、上記支持レール下部の逆Ｕ字形状に分岐したガイド部は、該ガイド部の略中央部の左右両外側から外方に向く僅少な水平段部が形成され、且つ該水平段部外端から該各逆Ｕ字形状に分岐したガイド部の先端に向けてテーパが形成されて、上記スライダの装着時の誘導部及び誘導後のストッパとした請求項１記載の着脱自在なシール
ド面を有するヘルメットを提供するものである。
【０００８】
斯かる構成としたことに伴い、より一層シールド面のフレームの支持レールへの装着を容易に誘うとともに、シールド面の顔面保護位置を維持することができる。
【０００９】
請求項３記載の発明は、上記支持レールは、上記スライダ誘導後の上記ストッパの位置から上方に略上記スライダの高さに相当する高さ位置の支持レールの両外側に、上下にスロープを具えた小凸部を形成して、スライダの不慮上昇を防止する構成と成した請求項２記載の着脱自在なシールド面を有するヘルメットを提供するものである。
【００１０】
このような構成を採用することにより、シールド面の顔面保護位置から無用な上昇を回避し得る。
【００１１】
請求項４記載の発明は、上記スライダは、上記断面視Ｔ字形状の支持レールを略巾着網状に抱く形状に形成し、上記シールド面は、上部に横方向に所要の間隔をおいて複数の通気孔を穿設した請求項１，２または３記載の着脱自在なシールド面を有するヘルメットを提供するものである。
【００１２】
斯様な構成を採用することにより、上記スライダが上記支持レールに常に安定的に跨座し、延いてはシールド面の安全性を確保することができると共に、通気孔により、シールド面装着者の作業工程中における通気性を誘導し快適な作業環境を保持することができる。
【発明の効果】
【００１３】
請求項１記載の発明は、シェル前方下縁に形成されたバイザーを上方視界を確保する素材で構成したので、ヘルメット装着時における上方視界を含む幅広い視野を確保することができるので作業性を高めることができる。
【００１４】
また、フレームは前方中央に頂部を有する山型形成部を有すると共に、顔面を保護するためのシールド面を支持するための断面視Ｔ字形状をした上向きの支持レールを上記山型形成部上に合成樹脂にて一体成形して設け、該支持レールの下部は上記フレームの下縁下方に延びる逆Ｕ字形状に分岐したガイド部が形成され、支持レールに着脱自在に係合して跨座しながら上下に摺動するスライダを上記シールド面の中央上部に設けたので、シールド面を簡易迅速に支持フレームに着脱することができるので、シールド面の不要時にシールド面を装着して作業を行なうことが避けられるので、シールド面の破損と汚損を避け安全な管理ができ、且つ、無駄な出費を低減させることができる。
【００１５】
そして又、シールド面が汚損した場合に、簡単に当該シールド面を支持レールから取外し可能であり、代替品たるシールド面をワンタッチで該支持レールに装着でき、従来例における如く、部品全部を分解して再び組立てるという煩瑣な作業を回避することができる。
【００１６】
請求項２記載の発明は、支持レール下部の逆Ｕ字形状に分岐したガイド部は、該ガイド部の略中央部の左右両外側から外方に向く僅少な水平段部が形成され、且つ該水平段部外端から該各逆Ｕ字形状に分岐したガイド部の先端に向けてテーパが形成されて、上記スライダの装着時の誘導部及び誘導後のストッパとしたので、上記スライダを支持レールに装着するに当り、逆Ｕ字形状に分岐したガイドに先端に向けたテーパが形成されていると共に、その分岐ガイドが可撓性であるから、容易に装着することが可能であり、それ故、非常に円滑に、ワンタッチで、シールド面をシェルに設けることができる。
【００１７】
そして、上記シールド面のスライダを上記支持レールに導入した後、該支持レールのストッパが該スライダの下縁を係止するから、安定して上記シールド面を保護位置に維持することができる。
【００１８】
他方、該シールド面の装着を上記支持レールから外すときは、上記逆Ｕ字形に分岐したガイドの２つの下端を相互に内側に引き寄せると上記ストッパが上記スライダの下縁への係止を解除し、簡単に降下して装着を外すことが可能である。
【００１９】
さらに、請求項３記載の発明は、スライダ導入後の上記ストッパの位置から上方に略上記スライダの高さに相当する高さ位置の支持レールの両外側に、上下にスロープを具えた小凸部を形成して、スライダの不慮上昇を防止する構成としたので、前記請求項１記載の発明の効果、または、前記請求項２記載の発明の効果に加えて、ヘルメットの装着者が作業の途上において上下動してもシールド面はそのスライダが上記支持レールに備えた小凸起に阻まれて上昇が回避されて依然シールド面の保護位置を維持するから作業性を向上させることができる。
【００２０】
さらにまた、上記小凸起は、上下にスロープがついているから力強く上昇させると該小凸起を乗り越えて更に上方に摺動させることができるし、同様に、再び下降させてストッパ位置に収めることも可能である。
【００２１】
そして更に、請求項４記載の発明は、上記スライダは、上記断面視Ｔ字形状の支持レールを略巾着網状に抱く形状に形成しているので、該スライダは上記支持レールに安定的に跨座しつつ、該支持レール上を上昇下降することができ、その結果、スライダと一体的に形成されて成るシールド面が確実に顔面保護位置若しくはシェル上方のシールド面収納位置に保持され装着者の作業能率の向上に資することができる。
【００２２】
また更に、上記シールド面は、上部に横方向に所要の間隔をおいて複数の通気孔を穿設しているので、上記請求項１記載の発明による効果、請求項２記載の発明による効果、または請求項３記載の発明による効果に加えて、ヘルメット装着者が作業途中で熱気を帯びる等の事態に当たりシェル内部における通気性を高め快適な作業環境を維持することが可能である。
【発明を実施するための最良の形態】
【００２３】
本発明は、上記技術的課題を解決することを目的として、ヘルメットのシェル前方下縁に形成されたバイザーを上方視界を確保する素材で構成し、且つ、シェル前方内面に該シェルと間隔をもってフレームを該シェルの下縁部に固設され、該フレームは前方中央に頂部を有する山型形成部を有すると共に、顔面を保護するためのシールド面を支持するための断面視Ｔ字形状をした上向きの支持レールを上記山型形成部上に合成樹脂にて一体成形して設け、該支持レールの下部は上記フレームの下縁下方に延びる逆Ｕ字形状に分岐したガイド部が形成されてなり、上記シールド面は透明な素材で形成され、更に、上記支持レールに着脱自在に係合して跨座しながら上下に摺動するスライダを上記シールド面の中央上部に設けることによって、シールド面の簡易着脱を達成した。
【実施例１】
【００２４】
本発明の好適な実施例を、図１、図２（ａ）（ｂ）、図３（ａ）（ｂ）に従い詳述する。図１は、本発明の実施例のヘルメット装着状態の前後方向中心線で切断した要部断面と手前側側面図（側断面図）であり、１はヘルメット、２は該ヘルメット１の帽体（殻体）を構成する半球状のシェル（ｓｈｅｌｌ）であり、硬質強化合成樹脂をもって製するものとし、可及的にはＦＲＰ熱硬化型樹脂で成形すると高強度で衝撃に耐えることができる。また、シェルの上面部分に溝を設けることによって一層シェルの強度を大にすることができる。更に、シェルの下縁外周には雨を除けるための溝であるレインガード（ｒａｉｎ  ｇｕａｒｄ）２ａが成形されることによって、雨滴の滴下を防止することが可能である。
【００２５】
なお、符号２ｂで示す如く、上記シェル２の内面には、発砲スチロール製等の衝撃吸収性のライナが、該内面にと密接接合された状態で設けられている。
【００２６】
図１中、３は該シェル前方下縁部に設けた日光や雨滴等を避けるためのバイザー（ｖｉｓｏｒ）であり、上方視界を良好に確保するための素材、即ち、透明又は太陽光線の直射を軽減する半透明の素材を以って成形したものを、ビス止めする等の適宜の固定手法でシェル前方内側からバイザー先端を外に延ばして取付ける。
【００２７】
同図１中、４は、プレートを示し、シェル１の前方裏面の下方、若しくは下縁近傍にシェルと所定の間隔を保持してビス等の取付け手段で強固に固着されている。該プレート４は、剛性を有する合成樹脂で成形され、外力に対応し所定の弾性変形性、即ち、可撓性を有している。このプレート４は、後述するようにハンモックやヘッドバンドを取付ける支えの一翼を成すと共に、シールド面を支える断面視Ｔ字形状をしたところの上向きの支持レール５が該プレート４のプレート下縁から前方中央に頂部を有する山型形成部４ａの上面に亘り一体的に成形されている。図１中、６は、上記した顔面を保護するためのシールド面を示し、７は、該シールド面の中央上部に設けられたスライダを示す。具体的には、該スライダ７が上記支持レール５に装着され、該スライダ７が該支持レール５を跨座しながら支持を受け、且つ、スライダ７が支持レール５に沿って上下に摺動（スライド）することとなる。尚、説明の便宜上、シールド面が、下方の保護位置にある場合においては、接尾辞をつけないシールド面６及びスライダ７であり、上方の収納位置にある場合には、接尾辞１を付けて、シールド面６１，スライダ７１としてある。
【００２８】
図２（ａ）は、上記プレートの支持レールがシールド面６とそのスライダ７の装着を受けるための機構を示す正面図であり、同図（ｂ）は、シールド面６とその上部に設けられているスライダ７を示す正面図である。勿論、該スライダ７は、図１、図２（ｂ）図示の如くシールド面６に一体に取付けられており、スライダ７の支持レール５への装着を通じてシールド面６もシェルに取付けられることとなる。
【００２９】
前記のとおり、支持レール５は、フレーム４の上記前方中央に頂部を有する山型形成部４ａの上面に、該フレーム４下縁から該山型形成部４ａの頂部にかけて合成樹脂で一体的に成形することによって形成される。
【００３０】
同図２（ａ）中、５ａ，５ａは、逆Ｕ字形状に分岐したガイド部を示し、該ガイド部５ａ，５ａの分岐した分枝部の可撓性を利用してスライダ７に挿入するための誘導部を構成するものである。同図中５ｂ，５ｂは、スライダを係止するためのストッパであり、上記支持レール側面から外方横に僅少に伸びる段部が形成されて係止の作用を奏する。従って、ガイド部５ａ，５ａを通じ支持レールに誘導係合されたスライダは支持レールに跨座しつつ、該ストッパに係止されるのでスライダと一体のシールド面を保護位置に確実に保持させることができる。
【００３１】
同図２（ａ）中、５ｂ，５ｂには、テーパが付されている。逆Ｕ字形状に分岐した各分枝の両外側に中央に向けて漸次縮小する下りスロープが、シールド面のスライダを装着する案内部となってスライダを円滑に装着させることができる。
【００３２】
同図２（ａ）中、５ｃ，５ｃは、小凸部を示し、上記ストッパ５ｂ，５ｂにて係止されたスライダの高さと略同一の高さの支持レールの外側に上下に向かうスロープを備えて形成されている。斯くして、上記ストッパ５ｂ，５ｂによって係止されたスライダは該小凸部５ｃ，５ｃによって不意の上昇が阻止され、その結果スライダと一体的に固着されたシールド面６は、装着者の顔面を保護するところの保護位置に確実に保全されて装着者の作業能率を向上させる。上記小凸部５ｃ，５ｃは、上下にスロープが付いているので、力を加えてスライダを上昇させることができ、スライダが該小凸部５ｃ，５ｃを乗り越えて更に上昇せしめることも、再び力を加えて該小凸部５ｃ，５ｃを越えて下降せしめてストッパ５ｂ，５ｂの位置にスライダとそれと一体的に構成されたシールド面を載せることもできる。
【００３３】
図２（ａ）中、５ｄは上限ストッパを示し、上記スライダ７が、支持レール５に誘導された後該支持レール５を跨座しながら上方に摺動し、強く上昇させて上記小凸部５ｃ，５
ｃを乗り越えて更に上方に摺動してこの上限ストッパ５ｄで停止する。言うなれば、上限ストッパは、上記スライダ７が上記支持レール５の上方限界を越えて脱出することを防止する機能を呈する。
【００３４】
また、図中、５ｅ，５ｅは、前記小凸部５ｃ，５ｃと同様の構成を有する上側小凸部である。言うなれば、この５ｅ，５ｅが、上側小凸部であるなら、前述した小凸部５ｃ，５ｃは下側小凸部に相当するということが出来るであろう。上側小凸部５ｅ、５ｅは、上記支持レールの左右両側において、上記上限ストッパ５ｄからスライダ７の略高さ分に相当する距離分だけ下降した位置に頂部が存し、その頂部の前後には上り、下りのスロープが形成されていることは、前記小凸部５ｃ，５ｃと同様である。
【００３５】
この上側小凸部５ｅ，５ｅは、上記シールド面６のスライダ７を、保護位置である上記ストッパ５ｂ，５ｂの位置から、前記小凸部５ｃ，５ｃを乗り越えて、上記支持レール５上を更に摺動して最上部まで達して前記上限ストッパ５ｄに当接した状態で、該スライダ７及びこれと一体を成すシールド面６を、シェル内に収納するための収納位置に維持する停止機能を奏するものである。斯くして、ヘルメット装着者が作業途上において一時、シールド面を収納位置に上げて置く必要がある場合に、該上側小凸部５ｅ，５ｅに上記スライダ７を係止させることによって、収納を行なうことができる。勿論この上側小凸部５ｅ，５ｅは、強く下降させることによって係止を解除することができ、再びスライダ７及びこれと一体をなすシールド面６を摺動降下させて、ヘルメット装着者の顔面を保護する保護位置に置くことも、支持レールから取外してシールド面の安全保管をすることも可能である。
【００３６】
尚、図２（ａ）中、５ｆは上記断面視Ｔ字形状をした支持レールの垂直な支持部をなすところのウェッブ部（腹部）を示す。該ウェッブ部５ｆは、上記山型形成部４ａと一体に成形されて支持レールの両側部言わばフランジ部とを一体に結合しながら堅固にスライダ及びシールド面を保持する機能を担っている。
【００３７】
尚また、フレームの上記山型形成部４ａにおいて、上記支持レール５を挟んで両側に孔部（符号省略）が穿設されているが、これは、上記山型形成部４ａに可撓性を与え、素材をセーブし、且つ、通気性の向上に資する働きをするものである。
【００３８】
次に、図２（ｂ）は、スライダ７の固着されたシールド面６を示す正面図である。スライダ７は、シールド面６の上部中央に一体的に固定されている。同一の樹脂素材で一体成形してもよく、別途の素材で成形されたスライダをシールド面に一体的に固着してもよい。シールド面６の素材は、特に限定はしないが、硬質のポリカーボネイト樹脂を用い、且つ、表面を精巧に仕上げたものを使用に供すると透明度も大であり、耐衝撃性が強く、熱可塑性樹脂の属性から成形加工も容易に行なうことができるというメリットがある。
【００３９】
上記スライダ７は、断面横長矩形状筒体の底壁の中央部分を切取った形状をしており、換言すると、スライダ７は、断面Ｔ字形状の支持レールを略巾着網状に抱く形状に形成されている。斯くして、該スライダは上記支持レールに安定して跨座しながら、該支持レール上を上昇下降することができる。
【００４０】
尚、上記スライダの素材は、特に制限はないが、シールド面と一体にモールド成形するとあればポリカーボネイト樹脂で成形されることになるであろうし、別途、スライダを成形する場合は、高密度のポリエチレン（ＨＤＰＥ）を以って素材に供すれば強度も大で、熱可塑性樹脂の性能を生かし成形加工が容易であるという利点が伴う。
【００４１】
図中、６ａは、通気孔を示す。該通気孔６ａは、上記シールド面６の目線より上方に横方向に亘り複数個等間隔で、横長の矩形形状を呈して穿設されている。前記通気孔６ａは、シールド面６をモールド成形するに際して、同時に成形されるから、通例、別途穿設の作業をするには及ばない。斯くして、該通気孔６ａの存在により、作業工程中労働の激し
さや温度上昇に応じて、シェル近傍が熱気を帯びてくるが、該熱気を、この通気孔６ａを通じてヘルメット前方外側に排気して装着者の快適な空間を維持することが可能である。
【００４２】
図３（ａ）は、図２（ａ）のＡ−Ａ線断面図であり、上記支持レール５が左右に板状に突出している状態を示している。又、上記ウェッブ部５ｆは、腹部として中心に据えられて強固な支持性能を担っている態様がわかる。同３図（ｂ）は、図２（ｂ）のＢ−Ｂ線断面図であり、スライダ７が、偏平矩形形状をなす角筒（高さ１２ｍｍ、幅２１ｍｍ）の底壁の中央部分が切削された形状を呈している。つまり、スライダは上記断面視Ｔ字形状の支持レールを略巾着網状に抱く形状に構成されている。故に、スライダ７に支持レール５のガイド部５ａ，５ａを通じて該支持レールが印籠継手形式に嵌り、スライダ７はシールド面６と一体となって、上記支持レール上に跨座しながら保護位置等の各種の位置に揺動することなく摺動でき、且つ、保護位置を安定的に確保できる。
【００４３】
なお、本発明は、本発明の基本的精神を逸脱しない限り種々の改変を行なうことが可能であり、そして、本発明は該改変されたものに及ぶことは当然である。
【図面の簡単な説明】
【００４４】
【図１】は、本発明の一実施例を示し、その前後方向中心部分で切断した側断面図。
【図２】（ａ）は、同正面図にして支持レールの詳細図、同図（ｂ）は、同じく正面図であり、シールド面、スライダの詳細図。
【図３】（ａ）は、図２（ａ）のＡ−Ａ線断面図、同図（ｂ）は、図２(ｂ)のＢ−Ｂ線断面図。
【符号の説明】
【００４５】
１            ヘルメット
２            シェル
２ａ          レインガード
２ｂ          ライナ
３            バイザー
４            フレーム
４ａ          山型形成部
５            支持レール
５ａ          逆Ｕ字形状に分岐したガイド部
５ｂ          ストッパ
５ｃ          小凸部
５ｄ          上限ストッパ
５ｅ          上側小凸部
５ｆ          ウェッブ部  
６            シールド面
６ａ          通気孔  
７            スライダ
【図１】
2008261075.tif 000003
【図２】
2008261075.tif 000004
【図３】
2008261075.tif 000005